【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
コンピュータにより以下の各ステップが実行されて、エラーが検出されるまでホスト・バス・アダプタからステータスを自動的に提示するプログラムであって、前記各ステップが、
ホスト・バス・アダプタによりデータを伝送するステップと、
ホストにおいて、データ伝送検査を実行するステップと、
前記ホストにおいて、データ伝送が満足いくものであったかどうかを判断するステップと、
データ伝送が満足いくものであると判断された場合には、ホスト・バス・アダプタからステータス情報を自動的に送信するが、そうでない場合には、前記ホスト・バス・アダプタに、前記ホストからのデータ伝送についてのステータス形式の識別を待つようにさせるステップとを有する、
プログラム。
【請求項２】
前記ホストにおいて、データ伝送検査を実行するステップが、さらに、データがエラーなしで伝送されたかどうかを判断することを含む、請求項１に記載のプログラム。
【請求項３】
前記ホストにおいて、データ伝送検査を実行するステップが、さらに、操作ステータス及び条件インジケータをチェックすることを含む、請求項１に記載のプログラム。
【請求項４】
前記条件インジケータをチェックするステップが、さらに、プロセッサの例外条件及び突発的なエラー条件をチェックすることを含む、請求項３に記載のプログラム。
【請求項５】
前記操作ステータスをチェックするステップが、さらに、データ伝送中にトラバースされる状態マシン及び中間バッファのエラーをチェックすることをさらに含む、請求項３に記載のプログラム。
【請求項６】
前記ホスト・バス・アダプタに、前記ホストからのデータ伝送についてのステータス形式の識別を待つようにさせるステップが、
前記ホストから、データ伝送を取り扱う前記ホスト・バス・アダプタに、該ホスト・バス・アダプタによる自動ステータス伝送を禁止する信号を送ること、
を含む請求項１に記載のプログラム。
【請求項７】
前記ホスト・バス・アダプタに、前記ホストからのデータ伝送についてのステータス形式の識別を待つようにさせるステップが、さらに、前記ホストから、データ伝送を取り扱う前記ホスト・バス・アダプタに、ステータス形式の識別を送信して、該ホスト・バス・アダプタがデータ伝送について提示するべきステータス形式を通信することを含む、請求項６に記載のプログラム。
【請求項８】
前記ホストにおいて、データ伝送が満足いくものであったかどうかを判断するステップが、さらに、データがエラーなしで伝送されたかどうかを示す信号、少なくとも１つの操作ステータス・インジケータ及び少なくとも１つの条件インジケータを論理的にＯＲ処理して、前記ホスト・バス・アダプタによる自動ステータス伝送を禁止する信号を生成することを含む、請求項１に記載のプログラム。
【請求項９】
コンピュータにより以下の各ステップが実行されて、ホスト・バス・アダプタからのステータス・メッセージングを制御するプログラムであって、前記各ステップが、
データをホストとホスト・バス・アダプタとの間で伝送するステップと、
前記ホストにおいて、データ伝送検査を実行するステップと、
前記ホストにおいて、データ伝送が満足いくものであったかどうかを判断するステップと、
データ伝送が満足いくものでないと判断された場合には、前記ホスト・バス・アダプタに、前記ホストからのデータ伝送についてのステータス形式の識別を待つようにさせるステップとを有する、
プログラム。
【請求項１０】
コンピュータにより以下の各ステップが実行されて、エラーが検出されるまでホスト・バス・アダプタからステータスを自動的に提示するプログラムであって、前記各ステップが、
データをホストとホスト・バス・アダプタとの間で伝送するステップと、
前記ホスト・バス・アダプタにおいて、前記ホストから該ホスト・バス・アダプタによる自動ステータス伝送を禁止する信号を受信するまで、該ホスト・バス・アダプタからステータス情報を自動的に送信するステップとを有し、
自動ステータス伝送を禁止する前記信号を受信した場合に、ホストからステータス形式の識別を受信して、前記ホスト・バス・アダプタがデータ伝送について該ホストに提示するべきステータス形式を通信する、
プログラム。
【請求項１１】
自動ステータス伝送を禁止する前記信号を受信することが、データがエラーをもって伝送された場合に生じる、請求項１０に記載のプログラム。
【請求項１２】
自動ステータス伝送を禁止する前記信号を受信することが、操作ステータス又は条件インジケータが、前記ホストにエラー条件を示す場合に生じる、請求項１０に記載のプログラム。
【請求項１３】
入力／出力（Ｉ／Ｏ）システムであって、
データを伝送するホスト・バス・アダプタと、
前記ホスト・バス・アダプタに結合され、データ伝送検査を実行し、データ伝送が満足いくものであったかどうかを判断する、ホストと、
前記ホストが、データ伝送が満足いくものでないと判断し、かつ、前記ホストがホスト・バス・アダプタによる自動ステータス伝送を禁止する信号を送信するまで、前記ホスト・バス・アダプタが、自動的にステータス情報を送信し、
ホストがホスト・バス・アダプタによる自動ステータス伝送を禁止する信号を送信する場合には、ホスト・バス・アダプタはホストからステータス形式の識別を待つようにし、ホスト・バス・アダプタは、前記信号に応答して自動ステータス伝送を停止する、
入力／出力（Ｉ／Ｏ）システム
【請求項１４】
ホスト・バス・アダプタからのステータス・メッセージングを制御するホストであって、
伝送されるデータを処理する、ホスト・バス・アダプタ・インターフェースと、
ホスト・バス・アダプタ・インターフェースに結合され、データ伝送検査を実行する、プロセッサと、
プロセッサに結合され、ホスト・バス・アダプタに信号を伝送して、データ伝送が満足いくものでないと判断された場合に、データ伝送のためのステータス形式の識別を待つようにさせる、ポートとを有する、
ホスト。
【請求項１５】
ホスト・バス・アダプタであって、
伝送されたデータを処理する、プロトコル取り扱いインターフェースと、
前記プロトコル取り扱いインターフェースに結合され、自動ステータス伝送を禁止する信号を受信するまで、ステータス情報を自動的に送信する、プロセッサとを有し、
前記プロセッサは、ステータス形式の識別を受信して、データ伝送を表すステータスの形式を通信する、
ホスト・バス・アダプタ。
【請求項１６】
エラーが検出されるまでホスト・バス・アダプタからステータスを自動的に提示する方法であって、
前記ホスト・バス・アダプタとホストとの間でデータを伝送するステップと、
前記ホストにおいて、データ伝送検査を実行するステップと、
前記ホストにおいて、データ伝送が満足いくものであったかどうかを判断するステップと、
データ伝送が満足いくものであると判断された場合には、ホスト・バス・アダプタからステータス情報を自動的に送信するが、そうでない場合には、前記ホスト・バス・アダプタに、前記ホストからのデータ伝送についてのステータス形式の識別を待つようにさせるステップとを有する、
方法。
【請求項１７】
入力／出力（Ｉ／Ｏ）システムであって、
データを伝送する手段と、
前記データを伝送する手段に結合され、データ伝送検査を実行し、データ伝送が満足いくものであったかどうかを判断する手段と、
データを伝送する前記手段は、前記判断する手段がデータ伝送が満足いくものであると判断した場合には、ステータス情報を送信するが、そうでない場合には、ホストからのデータ伝送についてのステータス形式の識別を待つ、
入力／出力（Ｉ／Ｏ）システム
【請求項１８】
ホスト・バス・アダプタからのステータス・メッセージングを制御するホストであって、
伝送されるデータを処理する手段と、
前記処理する手段に結合され、データ伝送検査を実行する手段と、
データ伝送検査を実行する手段に結合され、前記データを処理する手段に信号を伝送して、デ−タ伝送検査を実行する前記手段によりデータ伝送が満足いくものでないと判断された場合に、前記処理する手段にデータ伝送についてのステータス形式の識別を待つようにさせる、手段とを有する、
ホスト。
【請求項１９】
ホスト・バス・アダプタであって、
データを伝送する手段と、
前記データを伝送する手段に結合され、自動ステータス伝送を禁止する信号を受信するまで、ステータス情報を自動的に送信する手段と、
前記ステータス情報を自動的に送信する手段に結合され、ステータス形式の識別を受信して、データ伝送を表すステータスの形式を通信する手段とを有する、
ホスト・バス・アダプタ。